(57)【要約】【課題】周囲表示面のうち付加情報の見え方に最もバラツキの少ない最適な位置に付加情報を表示する。【解決手段】人物位置検出部２１により、各人物３の位置を検出して、平均角度算出部２２により、周囲表示面２の中央に設定した基準点から見た、対象人物と他の人物との間のそれぞれ角度の平均角度を算出し、表示位置算出部２３により、基準点から平均角度の方向であって、かつ周囲表示面２から所定の距離だけ離れた位置を平均視点とし、この平均視点から対象人物へ伸ばした直線が周囲表示面２と交差する位置を、付加情報の情報表示位置として算出する。【選択図】  図１
2010098421.tif 000002
【特許請求の範囲】
【請求項１】
対象人物の背後位置に配置されているディスプレイに、当該対象人物に関する付加情報を含む表示画像を表示する表示制御装置であって、
前記対象人物の顔向きの方向を検出する顔向き検出部と、
前記対象人物の顔向きが前記周囲表示面の中央に設定した基準方向を向いている場合には、前記周囲表示面のうち前記対象人物の背後に前記付加情報を表示し、前記基準方向以外を向いている場合には、前記付加情報の表示を消去する表示出力部と
を備えることを特徴とする表示制御装置。
【請求項２】
対象人物の背後位置に配置されているディスプレイに、当該対象人物に関する付加情報を含む表示画像を表示する表示制御装置で用いられる表示制御方法であって、
前記対象人物の顔向きの方向を検出する顔向き検出ステップと、
前記対象人物の顔向きが前記周囲表示面の中央に設定した基準方向を向いている場合には、前記周囲表示面のうち前記対象人物の背後に前記付加情報を表示し、前記基準方向以外を向いている場合には、前記付加情報の表示を消去する表示出力ステップと
を備えることを特徴とする表示制御方法。
【請求項３】
コンピュータを、請求項１に記載の表示制御装置として機能させるためのプログラム。
【請求項４】
請求項３に記載のプログラムを記録した記録媒体。
【発明の詳細な説明】
【技術分野】
【０００１】
本発明は、表示制御技術に関し、特に複数のディスプレイからなる周囲表示面における表示制御技術に関する。
【背景技術】
【０００２】
通信ネットワークを介して映像通信を行うことにより異なる地点間で会議を行うテレビ会議システムなどの映像コミュニケーションシステムでは、ローカル参加者が通信相手との間で仮想空間を共有する表示システムが提案されている（例えば、非特許文献１など参照）。
この技術では、図４に示すように、ディスプレイ１Ａ、カメラ１Ｂ、さらにはマイクやスピーカ（図示せず）が設けられたメディアユニット１で囲まれた円筒状の部屋を形成し、これらメディアユニット１のディスプレイ１Ａを用いて、通信相手の映像をローカル参加者に提供するとともに、カメラ１Ｂでローカル参加者の映像を撮影して通信相手に送信している。
【０００３】
この際、各メディアユニット１のディスプレイ１Ａを仮想的に繋ぎ合わせて形成される周囲表示面２に、各ローカル参加者の後ろ側に通信相手に関するパノラマ的な映像を表示することにより、仮想的に通信相手との間で情報を共有できる仮想共有面が形成される。これにより、ローカル参加者の周囲に仮想空間が実現されて、通信相手と同じ部屋に存在しているような、質の高い同室感を提供することができる。
【０００４】
【非特許文献１】平田圭二,外,「遠隔ビデオコミュニケーションシステムのための仮想起用優面の実装方式」,情報処理学会  グループウェアとネットワークサービス  ワークショップ 2007 (GNWS2007),pp.119-124.
【非特許文献２】R.Stiefelhagen, J. Yang, A. Waibel, "Modeling Forcus of Attention for Meeting Indexing Based on Multiple Cues", IEEE Trans. on Neural Networks, Vil. 13, No. 14, pp.928-938, 2002.
【発明の開示】
【発明が解決しようとする課題】
【０００５】
前述したような表示システムでは、各メディアユニット１のディスプレイ１Ａからなる周囲表示面２のうち、任意の人物の背後位置に当該対象人物に関する付加情報を表示することができる。この際、表示システムの利用方法によっては、対象人物には見えないように付加情報を表示したい場合がある。例えば、表示システムを利用してクイズを行う場合、他の人物から見えるように、対象人物の背後にクイズの答えからなる付加情報を表示する場合が考えられる。しかしながら、従来技術では、対象人物に見せないように付加情報を表示することはできない。
【０００６】
本発明はこのような課題を解決するためのものであり、対象人物に見せないように付加情報を表示できる表示制御装置を提供することを目的としている。
【課題を解決するための手段】
【０００７】
このような目的を達成するために、本発明にかかる表示制御装置は、対象人物の背後位置に配置されているディスプレイに、当該対象人物に関する付加情報を含む表示画像を表示する表示制御装置であって、対象人物の顔向きの方向を検出する顔向き検出部と、対象人物の顔向きが周囲表示面の中央に設定した基準方向を向いている場合には、周囲表示面のうち対象人物の背後に付加情報を表示し、基準方向以外を向いている場合には、付加情報の表示を消去する表示出力部とを備えている。
【０００８】
また、本発明にかかる情報制御方法は、対象人物の背後位置に配置されているディスプレイに、当該対象人物に関する付加情報を含む表示画像を表示する表示制御装置で用いられる表示制御方法であって、対象人物の顔向きの方向を検出する顔向き検出ステップと、対象人物の顔向きが周囲表示面の中央に設定した基準方向を向いている場合には、周囲表示面のうち対象人物の背後に付加情報を表示し、基準方向以外を向いている場合には、付加情報の表示を消去する表示出力ステップとを備えている。
【０００９】
また、本発明にかかるプログラムは、コンピュータを、前述した表示制御装置として機能させるためのプログラムである。
また、本発明にかかる記録媒体は、前述したプログラムを記録した記録媒体である。
【発明の効果】
【００１０】
本発明によれば、対象人物に見せないように付加情報を表示することが可能となる。
【発明を実施するための最良の形態】
【００１１】
次に、本発明の実施の形態について図面を参照して説明する。
［一実施の形態の構成］
まず、図１を参照して、本発明の一実施の形態にかかる表示制御装置について説明する。図１は、本発明の一実施の形態にかかる表示制御装置の構成を示すブロック図である。
【００１２】
図１の表示制御装置１０は、全体としてサーバ装置やパーソナルコンピュータなどの情報処理装置からなり、複数の人物３の周囲に立てて配置された複数のメディアユニット１からなる表示システムを制御して、これらメディアユニット１に設けられたディスプレイ１Ａの表示面を仮想的に繋ぎ合わせて周囲表示面２を形成し、この周囲表示面２に各種画像を表示する機能を有している。なお、本発明で用いるメディアユニット１は、前述した図４で説明したものと同等の機能を有しており、ここでの詳細な説明は省略する。
【００１３】
この表示制御装置１０を、例えばテレビ会議システムなどの映像コミュニケーションシステムで用いた場合、ローカル参加者からなる人物３の背後に形成された周囲表示面２に、受信した通信相手の映像がパノラマ的に表示され、仮想的に通信相手との間で情報を共有できる仮想共有面が形成される。これにより、人物３の周囲に仮想空間が実現されて、通信相手と同じ部屋に存在しているような、質の高い同室感を提供することができる。
【００１４】
本実施の形態では、このような表示制御装置１０において、対象人物の顔向きの方向を検出し、この対象人物の顔向きが周囲表示面の中央に設定した基準方向を向いている場合には、周囲表示面のうち対象人物の背後に付加情報を表示し、基準方向以外を向いている場合には、付加情報の表示を消去する場合について説明する。
【００１５】
以下、図１を参照して、本発明の一実施の形態にかかる表示制御装置について説明する。
表示制御装置１０には、主な機能部として、通信インターフェース部（以下、通信Ｉ／Ｆ部という）１１、ユニットインターフェース部（以下、ユニットＩ／Ｆ部という）１２、操作入力部１３、画面表示部１４、記憶部１５、通信制御部１６、付加情報生成部２０、人物位置検出部２１、顔向き検出部２２、および表示出力部２３が設けられている。
【００１６】
通信Ｉ／Ｆ部１１は、専用の通信回路からなり、通信制御部１６からの指示に応じて、通信ネットワーク３０を介して通信相手との間で各種のデータ通信を行う機能を有している。
ユニットＩ／Ｆ部１２は、専用のデータ入出力回路からなり、各メディアユニット１との間で画像や音声などの各種データをやり取りする機能を有している。
操作入力部１３は、キーボードやマウスなどの操作入力装置からなり、オペレータ操作を検出する機能を有している。
【００１７】
画面表示部１４は、ＬＣＤやＰＤＰなどの画面表示装置からなり、各機能部からの指示に応じて操作メニューや設定内容などの各種情報を画面表示する機能を有している。
記憶部１５は、ハードディスクやメモリなどの記憶装置からなり、各機能部での処理動作に用いる各種処理情報やプログラムを記憶する機能を有している。
通信制御部１６は、操作入力部１３で検出されたオペレータ操作に応じて、通信Ｉ／Ｆ部１１を制御して、通信相手との間でテレビ会議などの映像通信を行う機能を有している。
【００１８】
付加情報生成部２０は、予め記憶部１５に設定されている各人物３に関する情報や、映像通信で得られた情報に基づいて、個々の人物３の背後に表示する付加情報を生成する機能を有している。映像通信で得られた情報として、各人物の音声から音声認識装置により得た文字情報を用いてもよい。
人物位置検出部２１は、ユニットＩ／Ｆ部１２を介して各メディアユニット１のカメラ１Ｂから取得した映像を画像処理することにより、人物３が存在する位置を検出する機能を有している。
【００１９】
顔向き検出部２２は、ユニットＩ／Ｆ部１２を介して各メディアユニット１のカメラ１Ｂから取得した映像を画像処理することにより、対象人物の顔向きの方向を検出する機能を有している。
表示出力部２４は、ユニットＩ／Ｆ部１２を介して各メディアユニット１へ画像データを出力する機能と、対象人物の顔向きが周囲表示面２の中央に設定した基準方向を向いている場合には、周囲表示面２のうち人物位置検出部２１で検出した対象人物の背後に、対象人物の付加情報を表示する機能と、対象人物の顔向きが基準方向以外を向いている場合には、周囲表示面２に表示されている対象人物の付加情報の表示を消去する機能とを有している。
【００２０】
これら機能部のうち通信制御部１６、付加情報生成部２０、人物位置検出部２１、顔向き検出部２２、および表示出力部２３については、ＣＰＵとプログラムとが協働してなる演算処理部により構成される。このプログラムは、表示制御装置１０の通信Ｉ／Ｆ部１１などのデータ入出力手段を介して、外部装置や記録媒体から予め読み込まれて記憶部１５へ保存される。
【００２１】
［一実施の形態の動作］
次に、図２および図３を参照して、本発明の一実施の形態にかかる表示制御装置の動作について説明する。図２は、本発明の一実施の形態にかかる表示制御装置における付加情報表示処理を示すフローチャートである。図３は、顔向き判定過程を示す説明図である。
【００２２】
表示制御装置１０は、通信制御部１６からの指示や操作入力部１３で検出されたオペレータ操作に応じて、人物３のうちの任意の対象人物に関する付加情報を付加情報生成部２０で生成するとともに、人物位置検出部２１、顔向き検出部２２、および表示出力部２３により、図２の付加情報表示処理を実行して、周囲表示面２に対する付加情報の表示制御を行う。
以下、図２を参照して、表示制御装置１０における付加情報表示処理について詳細に説明する。
【００２３】
まず、表示制御装置１０は、人物位置検出部２１により、各人物３の位置を検出する（ステップ１００）。
この際、人物位置検出部２１は、ユニットＩ／Ｆ部１２を介して各メディアユニット１のカメラ１Ｂから取得した映像に基づき、周囲表示面２のうち付加情報を表示する高さにある水平面や床面など、任意の水平面における各人物３のＸＹ座標値を検出する。カメラ１Ｂで取得した映像には人物３が写っているため、例えば非特許文献２などの公知技術に基づいて、この映像を画像処理することにより、この人物３の顔位置を検出できる。なお、人物３の位置については、画像処理以外の方法、例えば床面に設けた感圧センサなどの位置センサを用いて検出してもよい。
【００２４】
次に、表示制御装置１０は、顔向き検出部２２により、対象人物の顔向きの方向を検出する（ステップ１０１）。
この際、顔向き検出部２２は、前述したようにカメラ１Ｂで取得した映像には対象人物が写っているため、例えば非特許文献２などの公知技術に基づいて、この映像を画像処理することにより、この対象人物の顔向き方向を検出できる。なお、対象人物の顔向き方向については、画像処理以外の方法を用いて検出してもよい。
【００２５】
続いて、表示制御装置１０は、表示出力部２３により、対象人物の顔向きが周囲表示面の中央に設定した基準方向を向いているか否か判定する（ステップ１０２）。
図３には、任意の水平面上における対象人物の顔向きと基準方向との関係が示されており、対象人物ｍ０が対象位置Ｐに存在し、対象位置Ｐから見て、周囲表示面２の中央に設定した基準点Ｏを中心として左右水平方向に開く所定の角度範囲が、対象人物ｍ０の基準方向ωとして設定されている。
【００２６】
ここで、対象人物の顔向きが基準方向ωの角度範囲に含まれる場合（ステップ１０２：ＹＥＳ）、表示制御装置１０は、周囲表示面２のうち人物位置検出部２１で検出した対象人物の背後に、対象人物の付加情報を表示し（ステップ１０３）、一連の付加情報表示処理を終了する。
この際、表示制御装置１０は、基準点Ｏから見て対象人物ｍ０の真後ろに位置する周囲表示面２上の標準表示位置Ｘを付加情報の表示位置として用いる。
【００２７】
一方、対象人物の顔向きが基準方向ωの角度範囲に含まれない場合（ステップ１０２：ＮＯ）、表示制御装置１０は、周囲表示面２に表示されている対象人物の付加情報の表示を消去し（ステップ１０４）、一連の付加情報表示処理を終了する。
【００２８】
［一実施の形態の効果］
このように、本実施の形態は、顔向き検出部２２により、対象人物の顔向きの方向を検出し、この対象人物の顔向きが周囲表示面の中央に設定した基準方向を向いている場合には、表示出力部２３により、周囲表示面のうち対象人物の背後に付加情報を表示し、基準方向以外を向いている場合には、表示出力部２３により、付加情報の表示を消去するようにしたので、対象人物以外の人物には見えて、対象人物に見せないように付加情報を表示することが可能となる。
【００２９】
また、本実施の形態では、顔向き検出部２２により検出した対象人物の顔向きの方向が基準方向を向いているか否かに応じて、付加情報の表示／消去を判定する場合を例として説明したが、この表示／消去の判定方法については、顔認識用の画像処理における顔部分が顔認可能な角度範囲を利用してもよい。
【００３０】
通常、画像内に含まれている人物の顔を認識する顔認識用の画像処理では、画像に含まれる顔部分の角度について顔認可能な角度範囲が存在する。したがって、この角度範囲を基準方向として利用し、対象人物の顔が画像から顔認できたか否かをステップ１０２で判定すればよい。これにより、顔認できた場合には対象人物の顔向きが基準方向ωの角度範囲に含まれており（ステップ１０２：ＹＥＳ）、顔認できなかった場合には対象人物の顔向きが基準方向ωの角度範囲に含まれていない（ステップ１０２：ＮＯ）と見なすことができる。
【００３１】
また、本実施の形態では、前述した図４の表示システムの周囲表示面に、対象人物の付加情報を表示する場合を例として説明したが、これに限定されるものではなく、対象人物の背後位置に配置されているディスプレイに、対象人物の付加情報を表示する場合にも、前述と同様にして本実施の形態を適用でき、同様の作用効果を得ることができる。
【図面の簡単な説明】
【００３２】
【図１】本発明の一実施の形態にかかる表示制御装置の構成を示すブロック図である。
【図２】本発明の一実施の形態にかかる表示制御装置における情報表示位置算出処理を示すフローチャートである。
【図３】顔向き判定過程を示す説明図である。
【図４】従来の表示システムの構成例である。
【符号の説明】
【００３３】
１０…表示制御装置、１１…通信Ｉ／Ｆ部、１２…ユニットＩ／Ｆ部、１３…操作入力部、１４…画面表示部、１５…記憶部、１６…通信制御部、２０…付加情報生成部、２１…人物位置検出部、２２…顔向き検出部、２３…表示出力部、３０…通信ネットワーク、１…メディアユニット、１Ａ…ディスプレイ、１Ｂ…カメラ、２…周囲表示面、３…人物、Ｐ…対象位置、Ｏ…基準点、Ｘ…標準表示位置、ω…基準方向。
【図１】
2010098421.tif 000003
【図２】
2010098421.tif 000004
【図３】
2010098421.tif 000005
【図４】
2010098421.tif 000006